(57)【要約】使用時には様々な位置に対応するよう設定可能であり、不使用時にはシートバック２４に収納可能である、シートバック２４と一体となった略「Ｕ」字型のヘッド／ネックレストを有する、シートバックヘッド／ネックレストアセンブリ３０。シートアセンブリ２０は、サポートアーチ２８と開口部３４を有する、シートの着座部分２２に連結されたシートバック２４を有する。略「Ｕ」字型のヘッド／ネックレストは、少なくとも１つの取付けバー３８により、シートバック開口部３４内に配置され、回転可能となるよう連結されている。この回転可能な取付けにより、使用時の開放位置及びシートバック２４と一体となる収納位置を得ることが可能となる。少なくとも１つの取付けバー３８はシートバック２４にスライド可能なように取付けることができ、固定機構を有する。他の特徴として、内部フレーム、シートの着座部分とシートバックとの相互間を回転可能にする連結部、鋼管による作られたサポートアーチ、及びパッドを含んでもよい。
2005529783.tif 000002
【特許請求の範囲】
【請求項１】
サポートアーチとシートバック開口部を区画する内縁部とを有するシートバックと、
該シートバックに接続されたヘッド／ネックレストアセンブリと、からなるシートバックアセンブリであって、
前記ヘッド／ネックレストアセンブリは、少なくとも１つの取付けバーと、該少なくとも１つの取付けバーに接続された略「Ｕ」字型のヘッド／ネックレストからなり、
前記少なくとも１つの取付けバーは、前記ヘッド／ネックレストと前記シートバックとの相互間において回転可能な取付けが提供されるように、前記シートバックに接続され、
これにより前記ヘッド／ネックレストが、その大部分が前記シートバック開口部から出た状態となる開放位置と、その大部分が前記シートバック開口部に収納される収納位置と、の間を回転することが可能となることを特徴とするシートバックアセンブリ。
【請求項２】
前記サポートアーチは、前記シートバックの内部フレームの一部をさらに形成する、ことを特徴とする請求項１に記載のシートバックアセンブリ。
【請求項３】
前記内部フレームを被覆するいす張り用の材料及びクッション材料をさらに含む、ことを特徴とする請求項２に記載のシートバックヘッド／ネックレストアセンブリ。
【請求項４】
前記シートバックに回転可能となるように連結されたシートの着座部分をさらに含む、ことを特徴とする請求項１に記載のシートバックアセンブリ。
【請求項５】
前記サポートアーチは、鋼管で作られている、ことを特徴とする請求項１に記載のシートバックヘッド／ネックレストアセンブリ。
【請求項６】
前記サポートアーチは、パッドをさらに含む、ことを特徴とする請求項１に記載のシートバックヘッド／ネックレストアセンブリ。
【請求項７】
前記少なくとも１つの取付けバーと前記ヘッド／ネックレストの間の前記回転可能な連結は、摩擦係合を含むことを特徴とする請求項１に記載のシートバックヘッド／ネックレストアセンブリ。
【請求項８】
前記少なくとも１つの取付けバーは、前記シートバックにスライド可能に取り付けられている、ことを特徴とする請求項1に記載のヘッド／ネックレストアセンブリ。
【請求項９】
前記スライド可能な取付け部は、前記内縁部に沿って垂直スロット通路を有する垂直スロットを含み、前記少なくとも１つの取付けバーが前記垂直スロット通路内に挿入される、ことを特徴とする請求項８に記載のシートバックヘッド／ネックレストアセンブリ。
【請求項１０】
前記スライド可能な取付け部は、さらに固定機構を含む、ことを特徴とする請求項８に記載のシートバックヘッド／ネックレストアセンブリ。
【請求項１１】
前記固定機構は、前記垂直スロット通路の後部端に沿って配列した歯を含み、
前記少なくとも１つの取付けバーは、スプリングにより前記歯を付勢し、穴の中に配置されたロックピンと、前記少なくとも１つの取付けバー内の通路に案内された前記ロックピンに取付けられた解放レバーと、をさらに含む、ことを特徴とする請求項１０に記載のシートバックヘッド／ネックレストアセンブリ。
【請求項１２】
前記サポートアーチが、使用時の前記シートバックアセンブリの頂点部を区画し、また前記開放位置における前記ヘッド／ネックレストアセンブリが、前記サポートアーチの前記頂点を超えない、ことを特徴とする請求項1に記載のシートバックアセンブリ。
【発明の詳細な説明】
【技術分野】
【０００１】
本発明は、主にヘッドレストの分野に係り、特に、使用時には様々な位置に対応するよう設定可能であり、不使用時にはシートバックに収納可能である、シートバックと一体となったヘッド／ネックレストを備えたシートアセンブリに関する。
【背景技術】
【０００２】
車両シート用に適合されたヘッドレストは当技術分野では周知の技術である。そのようなヘッドレストは元来、車両の乗員にサポートと快適性を提供するために設計されたものである。車両シートは数年間で開発が進み追加機能が加えられてきた。現在の車両シートのヘッドレストの主機能は、後部衝撃があった場合に乗員の頭が胴体に対して後方に移動するのを防ぐことである。さらに、ヘッドレストは、正面衝撃があった後、乗員がシートベルト及び／又はエアバッグにより制止されてから再びシートに倒れ込んだ時に、乗員の頭部が、望ましくない方向に動くことを防止している。従って、自動車のシートバック及びそれに伴うヘッドレストは、安全性への懸念及び政府規制に対応するために背が高くなってきている。主にReikerasらの米国特許第６,１２０,０９９号明細書及びGilsonらの第６,１２９,４２１号明細書を参照されたい。
【発明の開示】
【発明が解決しようとする課題】
【０００３】
残念ながらそのようなシートバック及びヘッドレストのアセンブリの多くは、後部座席の乗員の前方の視界、及び前部座席の乗員の後方の視界を妨げる。さらに、現在のアセンブリは、快適性及び調節の柔軟性に制限をかけてきた。これらの制限は、より背の低い乗客に対しては明白である。従って、当技術分野において、現在の安全性への懸念及び政府規制を満たすだけでなく、車両の乗員の快適性及び調節機能への要望と期待を満たす車両シートバックアセンブリを開発することが求められまた必要とされている。
【０００４】
従って、本発明は、使用時には様々な位置に対応するよう設定可能であり、不使用時にはシートバックに収納可能であるシートバックと一体となったヘッド／ネックレストを備えたシートアセンブリを提供する。
【課題を解決するための手段】
【０００５】
一実施形態において、シートバックアセンブリは、サポートアーチ及び開口部を有するシートバックを有する。ヘッド／ネックレストアセンブリは、シートバックに接続され、略Ｕ字型のヘッド／ネックレスト及び少なくとも１つの取付けバーからなる。この少なくとも１つの取付けバーは、ヘッド／ネックレストとシートバックの相互間において回転可能となるような取り付けを提供するように、シートバックに接続される。この回転可能な取付けにより、使用時の開放位置、及びシートバックの開口部内にその大部分が収納される収納位置が提供される。
【０００６】
他の実施形態では、取付けバーはシートバックにスライド可能に取付けすることができ、固定機構を有する。
【０００７】
本発明を使用することにより他の特徴も得られる。このシートは内部フレームを有することができる。シートの着座部分とシートバックの間の連結部は回転可能である。サポートアーチは鋼管で作られ、パッドを有する。取付けバーとヘッド／ネックレストの相互間の回転可能な接続は、摩擦係合を有している。
【発明を実施するための最良の形態】
【０００８】
本発明の他の特徴と利点は、以下の付属図面と併せてなされる説明から、本発明が関連する技術分野において通常の技術を有する者にとって、さらに明らかになるであろう。
【０００９】
他の利点及び特徴と同様に前記の利点及び特徴は、下記の説明及び図面を参照すると明らかであり、前記説明及び図面において同等の数字は同等の構成要素を表す。
【００１０】
本発明は、主にヘッドレストを有する車両シートアセンブリの分野に関連する。本発明のシートアセンブリは、背の高いシートバックを可能としながら調整可能かつ格納可能なヘッド／ネックレストを提供する。図１は、本発明の一実施形態に係るシートアセンブリ２０を示している。このシートアセンブリ２０は、図３及び図４において部分的に示されるような内部サポートフレーム４４を有することができ、また内部フレームを被覆する技術では周知の様々な種類のいす張り用の材料やクッション材料を使用することができる。
【００１１】
特に、シートアセンブリ２０は、シートの着座部分２２とシートバックアセンブリ２４を含み、シートの着座部分２２とシートバックアセンブリ２４はピボット部２６で固定あるいは回転するように連結することができる。シートバックアセンブリ２４は、サポートアーチ２８と、シートバック開口部３４を区画する内縁部３２と、を有する。サポートアーチ２８は、鋼管あるいはサポートが可能な他のあらゆる材料等、様々な材料から作ることができる。またアーチパッド３６も加えることができ、これには耐久性のあるカバーやいす張り用の材料を扱う分野では周知の様々なクッション材が含まれる。
【００１２】
ヘッド／ネックレストアセンブリ（ヘッドレスト）３０は、乗員の頭及び首をサポートするため略Ｕ字型に形成されており、シートバックアセンブリ２４に４２で連結され、少なくとも１つの取付けバー３８によってシートバック開口部３４の中に配置されている。少なくとも１つの取付けバー３８は、図１及び図４に示すような使用時の開放位置から図２及び図３に示すような収納位置までのヘッドレスト３０の動きを可能にするため、回転可能な取付け部４０において、回転可能となるようにヘッドレスト３０に連結されている。ヘッドレスト３０は少なくとも１つの取付けバー３８とヘッドレスト３０の間の摩擦係合によって適所に保持することができ、乗員はヘッドレスト３０を手でつかみ摩擦力以上の適度な力を与えることでヘッドレストを調節することができる。この種の摩擦係合は当分野では周知である。図２及び図３に示されるように、収納位置ではヘッドレスト３０はシートバックアセンブリ２４と一体となっている。
【００１３】
図５に示す本発明の別の実施形態では、ヘッドレスト３０が垂直方向に調整することができるように、少なくとも１つの取付けバー３８が、スライド可能となるようシートバックアセンブリ２４に取付けすることもできる。単なる一例として、スライド可能な取付け部４６はシートバックアセンブリ２４の内縁部３２に沿う垂直スロット４８を含むことができ、該垂直スロット４８はヘッドレスト３０の垂直方向の調節範囲５０を決定し、該調節範囲は数センチメートルとすることができる。少なくとも１つの取付けバー３８は、垂直スロット通路４９を有する垂直スロット４８内へ挿入されるよう形成される。少なくとも１つの取付けバー３８は、摩擦係合等の分野では周知の多くの手段により、垂直スロット４８内で静止位置を維持することができる。ヘッドレスト３０の横方向の動きは、少なくとも１本の取付けバー３８の端にフランジあるいはリム（リム）５２を設けることにより制限することができる。横方向の動きを制限する他の手段も可能であり、当技術分野では周知である。図５に示される本発明の一実施形態では、手でヘッドレスト３０をつかみ、適切な力を与えることによりヘッドレスト３０を垂直に調節することができ、これにより垂直スロット４８に沿って少なくとも１つの取付けバー３８がスライドする。
【００１４】
図６に本発明の別の実施形態を示す。本実施形態では、垂直スロット４８内でヘッドレスト３０の垂直方向の調節を自動的に固定するために、６６で概略的に示される固定機構アセンブリが付け加えられている。図６に示されるように、垂直スロット通路４９は、歯５４から構成することができる垂直端を有している。歯５４は、垂直スロット通路４９の後部端５１に配列することができる。歯５４はロックピン５６と噛み合い可能に形成されており、該ロックピン５６は、１つの取付けバー３８の穴６０内に配置され、スプリング５８により歯５４に向かって付勢される。従って、スプリング５８の付勢力によりロックピン５６が歯５４に自動的に力を加え、それによって垂直方向の所望の位置に確実にヘッドレスト３０が固定される。
【００１５】
図６に示される本発明の実施形態では、乗員はさらに、歯５４と噛み合うロックピン５６を解除することができる。ロックピン５６に取り付けられた解除レバー６２は、少なくとも１つの取付けバー３８内の通路６４に沿って操作される。乗員は、スプリング５８の付勢力以上の十分な力を与えることによりロックピン５６を解除することができ、それにより歯５４からロックピン５６が引き離され、ヘッドレスト３０の固定が解除されて垂直スロット４８内で垂直方向に移動できるようになる。
【００１６】
このように、延長され垂直方向に調整されたヘッドレスト３０は、シートアセンブリ２０内での高さとは無関係に、頭及び／又は首のサポートとしてヘッドレスト３０を使用したい乗員に極めて高い快適性を提供する。さらに、ヘッドレスト３０が解放位置にある場合、前方から後方及び後方から前方への視界が改善される。格納位置では、ヘッドレスト３０はシートバックアセンブリ２４の一部となる。
【００１７】
当技術分野では周知のように、別の実施形態では、電動調節を適用することができる。
【００１８】
本発明の実施例を図解し説明したが、これらの実施例が本発明の全ての形態を図解し説明するものであることは意図されていない。むしろ明細書において使用されている用語は制限ではなく説明のための用語であり、追加された請求項において定義されるように、様々な変更が本発明の精神及び範囲から逸脱することなくなし得ることが理解される。
【図面の簡単な説明】
【００１９】
【図１】開放位置におけるヘッド／ネックレストを備えた本発明の実施形態に係るシートアセンブリの斜視図。
【図２】収納位置におけるヘッド／ネックレストを備えた本発明の実施形態に係るシートアセンブリの斜視図。
【図３】収納位置における本発明の実施例に従うヘッド／ネックレストの正面図。
【図４】開放位置における本発明の実施例に従うヘッド／ネックレストの側面図。
【図５】ヘッドレストの垂直方向の調節を可能とする本発明の実施例に従うヘッド／ネックレストアセンブリの正面図。
【図６】本発明の実施に係る調節固定機構を有する垂直スロットの正面図。
【符号の説明】
【００２０】
２０：シートアセンブリ，２２：シートの着座部分，２４：シートバックアセンブリ，３０：ヘッド／ネックレスト（ヘッドレスト），３２：内縁部，３４：シートバック開口部，３６：アーチパッド，３８：取付けバー
【図１】
2005529783.tif 000003
【図２】
2005529783.tif 000004
【図３】
2005529783.tif 000005
【図４】
2005529783.tif 000006
【図５】
2005529783.tif 000007
【図６】
2005529783.tif 000008
【国際調査報告】
2005529783.tif 000009